(57)【要約】      （修正有）【課題】利便性の良好な布体吊下げ構造を構築し得る新規な布体吊下げ装置を提供する。【解決手段】カーテンや暖簾等の布体をドアの一面側に配置するための布体吊下げ装置１として、支持具２と、支持具２によって支持された布体を吊り下げるための主アーム３と、を具備してなるものを用い、主アーム３を支持具２に存するクランクアーム２３の他端の軸２３２に対して回転可能に取り付ける。【選択図】図２
0003211256.tif 000002
【実用新案登録請求の範囲】
【請求項１】
ドア枠の一側辺上部に取り付けられる支持具と、
一端が前記支持具に支持された状態で、前記ドア枠の一側辺から他側辺にわたって掛け渡される主アームと、
を具備してなり、
前記主アームにて、カーテンや暖簾等の布体を吊下げることによって、ドアの一面側に布体を配置するための布体吊下げ装置であって、
前記支持具が、支持具本体と、軸受けと、前記軸受けによって一端の軸が回転可能に支持されてなるクランクアームと、を具備してなり、
前記主アームが、前記クランクアームの他端の軸に対して回転可能に取り付けられてなることを特徴とする布体吊下げ装置。
【請求項２】
請求項１に記載の布体吊下げ装置において、
前記主アームが、前記クランクアームの他端の軸に対し、中空パイプをジョイントとして回転可能に取り付けられてなる布体吊下げ装置。
【請求項３】
請求項１又は２に記載の布体吊下げ装置によって、布体がドアの一面側に取り付けられてなることを特徴とする布体吊下げ構造。
【考案の詳細な説明】
【技術分野】
【０００１】
本考案は、ドアの一面側にカーテンや暖簾等の布体を配置するための布体吊下げ装置、及び前記布体吊下げ装置によって構築される布体吊下げ構造に関する。
【背景技術】
【０００２】
玄関や裏口などの出入り口には、ドアを開けた際に外から室内が視認できないように、カーテンや暖簾等の布体が目隠しとしてドアの一面側に配置されることがある。
【０００３】
従来、この種の布体をドアの一面側に配置するにあたっては、一般に「突っ張り棒」と称される伸縮可能な棒状体をドアの上部に配置し、この突っ張り棒に対して布体を吊り下げていた（例えば、下記特許文献１参照。）。
【先行技術文献】
【特許文献】
【０００４】
【特許文献１】特開２０００−８３８０１号公報
【考案の概要】
【考案が解決しようとする課題】
【０００５】
しかしながら、突っ張り棒によって吊下げられた布体は、出入りの邪魔となる場合があった。
【０００６】
本考案は前記技術的課題に鑑みて完成されたものであり、利便性の良好な布体吊下げ構造を構築し得る新規な布体吊下げ装置を提供することを目的とする。
【課題を解決するための手段】
【０００７】
前記技術的課題を解決するための本考案の布体吊下げ装置は、ドア枠の一側辺上部に取り付けられる支持具と、一端が前記支持具に支持された状態で、前記ドア枠の一側辺から他側辺にわたって掛け渡される主アームと、を具備してなり、前記主アームにて、カーテンや暖簾等の布体を吊下げることによって、ドアの一面側に布体を配置するための布体吊下げ装置であって、前記支持具が、支持具本体と、軸受けと、前記軸受けによって一端の軸が回転可能に支持されてなるクランクアームと、を具備してなり、前記主アームが、前記クランクアームの他端の軸に対して回転可能に取り付けられてなることを特徴とする（以下、「本考案装置」と称する。）。
【０００８】
本考案装置においては、前記主アームが、前記クランクアームの他端の軸に対し、中空パイプをジョイントとして回転可能に取り付けられてなるものが好ましい態様となる。
【０００９】
前記技術的課題を解決するための本考案の布体吊下げ構造は、前記本考案装置によって、布体がドアの一面側に取り付けられてなることを特徴とする（以下、「本発明構造」と称する。）。
【考案の効果】
【００１０】
本考案によれば、利便性の良好な布体吊下げ構造を構築することができる。
【図面の簡単な説明】
【００１１】
【図１】図１は、本考案構造を示す正面図である。
【図２】図２は、本考案装置を示す分解斜視図である。
【図３】図３は、竿受けによって前記主アームの先端部を下支えしている様子を示す斜視図である。
【図４】図４は、クランクアームによって前記主アームの長さ調整（中位置）を行っている様子を示す斜視図である。
【図５】図５は、クランクアームによって前記主アームの長さ調整（短位置）を行っている様子を示す斜視図である。
【図６】図６は、クランクアームによって前記主アームの長さ調整（長位置）を行っている様子を示す斜視図である。
【考案を実施するための形態】
【００１２】
以下、本考案を実施するための形態（実施形態）を図面に基づいて説明するが、本考案はこの実施形態に限定されるものではない。
【００１３】
＜本考案構造１０＞
図１に、本考案構造１０の一実施形態を示す。本考案構造１０は、本考案装置１によって、布体ＣがドアＤの一面側に取り付けられてなる構造物である。
【００１４】
＜本考案装置１＞
図２に、前記本考案構造１０を構築するための本考案装置１を示す。本考案装置１は、支持具２と、主アーム３と、を具備する。
【００１５】
‐支持具２‐
前記支持具２は、支持具本体２１と、軸受け２２と、クランクアーム２３と、を具備する。本実施形態において、前記支持具本体２１は断面視コ字状の金具であり、対向する金属片（２１１、２１２）の各中央部に、前記軸受け２２として機能する貫通孔が設けられている。又、前記クランクアーム２３は、一端の軸（以下、「第一軸」と称する。）２３１と、前記第一軸２３１とは芯のずれた他端の軸（以下、「第二軸」と称する。）２３２と、前記第一軸２３１及び前記第二軸２３２を結ぶ柄２３０と、を具備する棒体である。
【００１６】
前記支持具２は、ドア枠Ｆの一側辺Ｆ１の上部に取り付けられる。本実施形態において前記支持具２の取り付けは、前記支持具本体２１を、ネジＢによって前記ドア枠Ｆの一側辺Ｆ１の上部に固定することによって実行した。なお、この支持具本体２１の取付けの際、前記金属片（２１１、２１２）が上下方向に並ぶようにする。前記支持具本体２１を取り付けた後、前記軸受け２２に前記クランクアーム２３の第一軸２３１を差し込めば、前記クランクアーム２３が前記軸受け２２によって回転可能に支持される。
【００１７】
‐主アーム３‐
本実施形態において、前記主アーム３は一端部３１を屈曲させたＬ字状の全体形状を有する。前記主アーム３は、一端部３１が前記支持具２に支持された状態で、前記ドア枠Ｆの一側辺Ｆ１から他側辺Ｆ２にわたって掛け渡される。本実施形態においては、前記クランクアーム２３の第二軸２３２に中空パイプ４を嵌め、この中空パイプ４をジョイントとして、前記主アーム３の一端部３１を挿入することによって、前記主アーム３を前記クランクアーム２３の第二軸２３２に対して回転可能に取り付けた。前記主アーム３は、カーテンや暖簾等の布体Ｃを吊下げることによって、ドアＤの一面側に布体Ｃを配置する役割を担う（図１参照）。なお、本実施形態においては、図３に示すように、ドア枠Ｆの他側辺Ｆ２の上部に竿受け５を設け、前記主アーム３の先端部を下支えする構成としている。
【００１８】
このようにして構築される本考案構造１０は、前記主アーム３の一端部３１を回転軸として、前記主アーム３を回動させることができることから、ドアＤの出入り時において、動線から布体Ｃを移動させることができる。これより、ドアＤの出入り時に布体Ｃが邪魔にならない。
【００１９】
又、図４〜図６に示すように、本考案装置１は、前記軸受け２２によって回転可能に支持されている前記クランクアーム２３の第二軸２３２に対し、前記主アーム３が回転可能に取り付けられているため、前記クランクアーム２３を回転させることによって、前記主アーム３の長さを調整することができる。これより、ドアＤの幅に対応した本考案構造１０を構築することができる。
【００２０】
ところで、本実施形態においては、ドア枠Ｆの他側辺Ｆ２の上部に竿受け５を設け、主アームの先端部を下支えする構成としているが、前記主アーム３の剛性が確保できるのであれば、前記主アーム３を前記支持具２による片持ちとしても良い。
【００２１】
又、本実施形態においては、前記クランクアーム２３として、二箇所が直角に曲げられた棒状体を用いたが、前記クランクアーム２３の形状としては第一軸２３１に対して第二軸２３２が柄２３３によってオフセットされているものであれば特に限定されない。
【００２２】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【産業上の利用可能性】
【００２３】
本考案は、カーテンや暖簾等の布体をドアの一面側に配置するための手段として好適に用いられる。
【符号の説明】
【００２４】
１  本考案装置（布体吊下げ装置）
２  支持具
２１  支持具本体
２２  軸受け
２３  クランクアーム
３  主アーム
４  中空パイプ
５  竿受け
１０  本考案構造
２３１  第一軸（一端の軸）
２３２  第二軸（他端の軸）
Ｃ  布体
Ｄ  ドア
Ｆ  ドア枠
【図１】
0003211256.tif 000003
【図２】
0003211256.tif 000004
【図３】
0003211256.tif 000005
【図４】
0003211256.tif 000006
【図５】
0003211256.tif 000007
【図６】
0003211256.tif 000008